(57)【要約】【課題】突発的な排水量の増加に対応しやすい浸透システムを提供する。【解決手段】浸透システム１は、透水性の壁面１３を備えた浸透部１０と、浸透部１０の上にコンクリート製のプレート２０を介して積層された集水部３０と、プレート２０に設けられた開口２１を覆うように設けられた多孔性のフィルタ５０とを有する。フィルタ５０は、プレート２０に対し上方に立ち上がった多孔性の側壁部５１と、多孔性の側壁部５１の上を覆う多孔性の上壁部５２であって多孔性の側壁部５１の合計面積よりも大きな面積の多孔性の上壁部５２とを含み、プレート２０の多孔性の側壁部５１の周囲にごみ溜め領域を形成する。【選択図】図１
2016044390.tif 000002
【特許請求の範囲】
【請求項１】
透水性の壁面を備えた浸透部と、
前記浸透部の上にコンクリート製のプレートを介して積層された集水部と、
前記プレートに設けられた開口を覆うように設けられた多孔性のフィルタとを有し、
前記フィルタは、前記プレートに対し上方に立ち上がった多孔性の側壁部と、
前記多孔性の側壁部の上を覆う多孔性の上壁部であって前記多孔性の側壁部の合計面積よりも大きな面積の多孔性の上壁部とを含み、
前記プレートの前記多孔性の側壁部の周囲にごみ溜め領域が形成される浸透システム。
【請求項２】
請求項１において、前記多孔性の側壁部は前記プレートから不透水性の側壁部を介して立ち上がっている、浸透システム。
【請求項３】
請求項１または２において、前記プレートは作業員を前記集水部内に保持する強度を有する、浸透システム。
【請求項４】
請求項１ないし３のいずれかにおいて、前記開口は作業員が出入りするサイズを有する、浸透システム。
【請求項５】
請求項１ないし４のいずれかにおいて、前記開口は、偏心した位置に設けられている、浸透システム。
【請求項６】
透水性の壁面を備えた浸透部の上に、開口が設けられたコンクリート製のプレートを介して集水部が積層された浸透システムの前記開口を覆うように設置される多孔性のフィルタであって、
前記プレートに対し上方に立ち上がった多孔性の側壁部と、
前記多孔性の側壁部の上を覆う多孔性の上壁部であって前記多孔性の側壁部の合計面積よりも大きな面積の多孔性の上壁部とを有するフィルタ。
【請求項７】
請求項６において、前記多孔性の側壁部の下側に不透水性の側壁部を有する、フィルタ。
【発明の詳細な説明】
【技術分野】
【０００１】
本発明は、雨水などを地下に浸透するシステムに関するものである。
【背景技術】
【０００２】
本願の出願人は、特許文献１において、雨水などの排水を地下浸透するのに適した浸透システムを開示している。この浸透システムは、コンクリート製の周壁の一部が透水性を有する下部構造体と、一部に開口部を備え、下部構造体の周壁の上に搭載されたコンクリート製の板状部材であって、開口部を除いた部分が非透水性の中間床を形成する板状部材と、水導入口が設けられ、非透水性のコンクリート製の周壁を備える上部構造体であって、板状部材の上に、この上部構造体の周壁が搭載された、上部構造体とを含み、水導入口から導入された排水が、板状部材と上部構造体とにより形成された空間の一部および中間床の一部を通り、開口部を介して下部構造体の内部に至る流路が形成され、流路の途中に、網状部材が設けられている。
【先行技術文献】
【特許文献】
【０００３】
【特許文献１】特開２００８−２８５９２７号公報
【発明の概要】
【発明が解決しようとする課題】
【０００４】
上記の浸透システムは、中間床の上側をメンテナンススペースとごみおよび土砂を溜めるための空間として利用できる。近年、降雨量が瞬間的に急増する現象が頻発している。したがって、浸透部分の能力を維持するとともに、流入量が増大したときに、より確実に対応できる浸透システムが求められている。
【課題を解決するための手段】
【０００５】
本発明の一態様は、透水性の壁面を備えた浸透部と、浸透部の上にコンクリート製のプレートを介して積層された集水部と、プレートに設けられた開口を覆うように設けられた多孔性のフィルタとを有する浸透システムである。フィルタは、プレートに対し上方に立ち上がった多孔性の側壁部と、多孔性の側壁部の上を覆う多孔性の上壁部であって多孔性の側壁部の合計面積よりも大きな面積の多孔性の上壁部とを含み、プレートの多孔性の側壁部の周囲にごみ溜め領域が形成される。
【０００６】
この浸透システムのフィルタは、浸透システムへの流入量（排水量）が通常の条件で想定した範囲に対応する多孔性の側壁部と、流入量が大幅に増加したときに対応する上壁部とを有し、少なくとも２段階の流入量に対応できる。上壁部は、平板状であってもよく、上側に凸のドーム状あるいはテーパー状になっていてもよく、多段階の流入量に対応できるものであってもよい。
【０００７】
側壁部は、プレートに対して上方に立ち上がることにより、フィルタの周囲のプレート上をごみ溜めのための領域として使用する。したがって、通常の使用時に流入する泥やごみに対してプレートの上をごみ溜めとして利用することにより、より多くのごみや泥をプレート上に溜め、浸透部への侵入を抑止できる。このため、浸透部の透水性能を容易に維持でき、流入量が瞬時に増加する緊急時に、より確実に対応できる。
【０００８】
特に、側壁部を多孔性の透水性として、通常は側壁部を介して排水を浸透部へ流すことにより、排水中の水に浮かぶ枯葉などのごみを側壁部でフィルタリングしてプレート上に溜めることができる。このため、上壁部が枯葉などにより覆われることを抑制でき、流入量が増加する緊急時に、大面積の上壁部を通して大量の排水を浸透部へ排出できる。また、通常時において流入量が想定外に増加して水位が側壁部を超えることがあっても、水位が側壁部を超えたとたんに上壁部により開口面積が急激に増大する。このため、通常使用時に水位が上壁部を覆うようなケースは稀であり、上壁部が枯葉などにより覆われることを抑制できる。
【０００９】
緊急時に流入量が大幅に増加し、集水部の水位が上昇して上壁部を超えると、大面積の上壁部を介して排水が浸透部へ流入する。このため、集水部から排水が溢れ出すことを抑制できる。また、大量の排水とともに流入する枯葉などのごみは、緊急時が過ぎ去るとフィルタにより集水部に蓄積され、浸透部への流入を抑制できる。このため、集水部に蓄積されたごみを取り除くことにより、緊急時に対する対応能力を容易に復旧できる。
【００１０】
多孔性の側壁部はプレートから不透水性の側壁部を介して立ち上がっていることが望ましい。不透水性の側壁部が乗り越え関となるので、泥などの沈下性の異物をプレート上に溜めることができる。また、枯葉などの浮遊性のごみは多孔性の側壁部によりプレート上に溜めることができる。
【００１１】
プレートは作業員を集水部内に保持する強度を有することが望ましい。フィルタのメンテナンスおよびフィルタの周辺に蓄積されるごみや泥の排除が容易になる。さらに、開口は作業員が出入りするサイズを有することが望ましい。フィルタが設置される開口を浸透部のメンテナンス用に利用できる。浸透部に侵入した泥などを回収するために水中ポンプを使う方法であれば、開口は水中ポンプまたは水中ポンプに接続されるホースを浸透部に投入できるサイズであれば良い。また、プレートに設けられる開口は１つに限らず、複数であってもよい。
【００１２】
開口は、プレートの中心に設けられていてもよい。開口を偏心した位置に設けてもよく、通常流入する排水がプレートを流れる距離を確保しやすく、泥をプレート上に回収するのに適している。
【００１３】
本発明の他の態様の１つは、透水性の壁面を備えた浸透部の上に、開口が設けられたコンクリート製のプレートを介して集水部が積層された浸透システムの開口を覆うように設置される多孔性のフィルタである。フィルタは、プレートに対し上方に立ち上がった多孔性の側壁部と、多孔性の側壁部の上を覆う多孔性の上壁部であって多孔性の側壁部の合計面積よりも大きな面積の多孔性の上壁部とを有する。中間床などの開口付のプレートを含む浸透システムの開口にこのフィルタを設置することにより、上記のような効果が得られる。プレートは単独の板材であってもよく、浸透部の上部と一体となった浸透部の上壁であってもよく、集水部の下部と一体となった集水部の底壁であってもよい。フィルタは、多孔性の側壁部の下側に不透水性の側壁部を有していてもよい。
【図面の簡単な説明】
【００１４】
【図１】浸透システムの構成を示す断面図。
【図２】プレートを上から見た状態を示す断面図。
【図３】フィルタの構成を示す図であり、図３（ａ）は左側面図、図３（ｂ）は平面図、図３（ｃ）は正面図。
【図４】計画値の排水が集水部に流入した状態を示す断面図。
【図５】フィルタの近傍を拡大して示す断面図。
【図６】大量の排水が集水部に流入した状態を示す断面図。
【発明を実施するための形態】
【００１５】
図１に浸透システムの一例を、断面図を用いて示している。この浸透システム１は、透水性の壁面１３を備えた浸透部１０と、浸透部１０の上にコンクリート製のプレート２０を介して積層された集水部３０と、プレート２０に設けられた開口２１を覆うように設けられた多孔性のフィルタ５０とを有する。
【００１６】
浸透システム１は、道路や駐車場、宅地などの地中９０に埋設される。下部の浸透部１０の周囲には単粒度の砕石の層９１が形成される。集水部３０の周囲には埋め戻された土砂の層９２が形成される。側溝９９や雨樋などの集水システムと接続された排水管９５により導かれた雨水などの排水８１は、排水導入口８５を介して上部の集水部３０の内部Ｓ２に受け入れられる。排水８１は、プレート２０の上を通り、プレート２０の開口２１を介して下部の浸透部１０の内部Ｓ１に流下する（移動する）。浸透部１０の内部Ｓ１は、排水８１を貯留する空間および／または浸透するための空間として機能し、排水８１は透水性の壁面１３を介して地中９０に浸透する。
【００１７】
浸透部（浸透桝、浸透槽）１０は、コンクリート製の底壁（底版）１１と、底壁１１の上に上下方向に積み重ねられた透水性の壁面１３を備えた複数のコンクリート製のブロック１２とを含む。底壁１１は、工場においてプレハブ（プレキャスト）されたコンクリート版（コンクリート製の板状部材）であり、ほぼ中央を貫通する平面視円形状の開口部１１ａを備えている。底壁１１のサイズの一例は、平面視が約１４００ｍｍ×１４００ｍｍの正方形で、厚さが約１００ｍｍであり、開口部１１ａのサイズの一例は、直径が約９００ｍｍである。
【００１８】
透水性のブロック１２は、工場においてプレハブされた中空のコンクリート桝（上壁および底壁が設けられていない桝）であり、上下方向に連通する空間Ｓ１を形成する四角筒状の壁面（周壁、側壁）１３と、壁面１３を貫通する複数の貫通孔１４とを含む。ブロック１２のサイズの一例は、平面視が約１４００ｍｍ×１４００ｍｍの正方形で、高さが約１０００ｍｍであり、壁厚が約１００ｍｍである。ブロック１２の内部に形成される空間Ｓ１は、平面視が約１２００ｍｍ×１２００ｍｍである。この浸透システム１においては３つのブロック１２が積み重ねられ、内部に高さ３０００ｍｍの空間Ｓ１が形成されている。ブロック１２のサイズは一例であり、内寸が１２００ｍｍ以上であってもよく、１２００以下であってもよい。さらに、ブロック１２は断面が円形であってもよく、四角形以外の多角形であってもよい。また、浸透部１０を構成するブロック１２は１段または２段であってもよく、さらに４段以上が積み重ねられていてもよい。
【００１９】
壁面１３を貫通する貫通孔１４は、ブロック１２の内部から見ると、横幅が２０ｍｍ程度で上下方向に長い長方形状であり、左右両側および下側の面が内側から外側に向けて広がる形状となっている。貫通孔１４は、壁面１３の外側に埋め戻される砕石９１が通過しない、あるいは通過しにくい大きさとなっている。複数の貫通孔１４は、四方の各壁面１３に上下方向（縦方向）に４段、左右方向（横方向、前後方向）に６列（４×６）の２４個が配列されている。
【００２０】
浸透部１０は、壁面１３の少なくとも一部が透水性の領域であればよく、プレハブされたブロック１２を積み重ねたものであって、現場で施工されたものであってもよい。透水性の壁面１３は、上記のような貫通孔１４を含むものであってもよく、ポーラスコンクリートで形成されたものであってもよい。また、貫通孔１４の形状は上記に限定されず、円形の断面を有するものであってもよく、断面が２段あるいは多段に変形したものであってもよい。透水性の壁面１３は、内部の領域Ｓ１から水が壁面１３の外側の地中９０に浸透し、地中９０の土砂が内部の領域Ｓ１に侵入しない、または侵入し難い構造であればよい。
【００２１】
浸透部１０の上側に積層された集水部３０は、コンクリート製のブロック３２と、ブロック３２の内部の空間Ｓ２と地上（地表）とを連通する出入口３１とを備えている。ブロック３２は、側壁３３および上壁３４が一体となってプレハブされた中空で断面が正方形のコンクリート桝であり、断面の寸法は浸透部１０のブロック１２と共通し、高さは８００ｍｍ程度である。集水部３０のブロック３２のサイズも一例であり、１２００ｍｍ角より小さくても大きくてもよく、また、断面は円形でも４角形以外の多角形であってもよい。集水部３０は、プレート２０を介して浸透部１０に積み重ねられているので、断面の寸法は浸透部１０と同じでなく、浸透部１０よりも小さくてもよい。しかしながら、この浸透システム１においては、以下で説明するように、プレート２０の上をごみや泥を蓄積するスペースとして利用するので、蓄積能力を確保する点では浸透部１０と共通するサイズであることが望ましい。
【００２２】
上壁部３４に設けられた出入口３１は一方の壁３３に近接した、偏心した位置に配置されている。出入口３１のサイズの一例は直径が約６００ｍｍである。出入口３１は、作業員が出入りでき、さらに交換用のフィルタ５０を集水部３０の内部に持ち込める寸法であればよい。出入口３１は、鋳鉄製の蓋３１ａなどにより通常は封鎖される。
【００２３】
集水部３０と浸透部１０とに挟まれ、浸透部１０の領域Ｓ１と集水部３０の領域Ｓ２とを区切るプレート２０は、コンクリート製の中間床（中間スラブ）である。プレート２０を上方から見た様子を図２に示す。プレート２０はプレハブされたコンクリート版であり、平面視が約１４００ｍｍ×１４００ｍｍの正方形で、厚さが約１００ｍｍである。この寸法は例示であり、集水部３０と浸透部１０とを区切り、集水部３０から排水８１がプレート２０に設けられた開口２１を介して浸透部１０に流れ込むようになっていればよい。また、プレート２０は作業員がプレート２０の上に載って作業ができる程度の強度を備えていることが望ましい。プレート２０自身は、非透水性（遮水性）であってもよく、ポーラスコンクリートを用いた透水性であってもよい。プレート２０が透水性の場合は、プレート自身がフィルタリング機能を備えたものであることが望ましい。
【００２４】
プレート２０の偏心した位置に開口２１が設けられている。開口２１は、プレート２０の中心から集水部３０または浸透部１０の４方のうちの一方の壁面３３および１３に近づいて配置されている。開口２１のサイズの一例は平面視が約６００ｍｍ×６００ｍｍの正方形である。開口２１は、作業員が通ることができる程度の大きさであることが好ましい。開口２１を介して浸透部１０の泥水を回収する作業は、作業員が浸透部１０の内部に入る代わりに、ポンプを投げ込んで行うことも可能である。この場合、開口２１はさらに小さいものであってよい。また、この開口２１の面積は緊急時の排水量を勘案して決められる。開口２１のサイズはたとえば、３００ｍｍ角〜８００ｍｍ角であるが、浸透部１０のサイズに応じてさらに大きくしたり小さくしたりすることができる。
【００２５】
プレート２０の開口２１を覆うフィルタ５０は、プレート２０に対し上方に立ち上がった多孔性の側壁部（周壁部）５１と、多孔性の側壁部５１の上を覆う多孔性の上壁部（天井部、上壁）５２と、多孔性の側壁部５１の下側に配置された非透水性の側壁部（周壁部）５３とを含む。フィルタ５０は、２つに分割されており、個々のパーツ５０ａは、出入口３１を通して出し入れしやすいサイズとなっている。
【００２６】
図３にフィルタ５０を構成する一方のパーツ（以降では、パーツもフィルタと称する）５０ａをさらに詳しく示している。図３（ａ）は、フィルタ５０ａの側面図（左側面図、右側面図も共通する）であり、図３（ｂ）は平面図である。フィルタ５０ａの底面図は平面図とは、取っ手５９を除いて共通する。図３（ｃ）は、フィルタ５０ａの正面図であり、フィルタ５０ａの背面図は正面図と共通である。
【００２７】
フィルタ５０ａは、長方形で２つのフィルタ５０ａを短手方向に並べることによりほぼ正方形のフィルタ５０が構成される。フィルタ５０ａは、全体がワイヤーメッシュまたはエキスパンドメタルなどで構成された網状または多孔性の金属製、例えば、ステンレススチールまたは亜鉛メッキ鋼板などのフィルタである。多孔性の金属部分５５は籠状（網籠状）に成形されており、多孔性の上壁部５２と側壁部５１とを構成する。側壁部５１の下側の縁５１ａは金属製のフラットバー５６で補強されており、フラットバー５６の部分が非透水性の側壁部５３を構成する。したがって、フィルタ５０ａの側壁５４は、下側の非透水性の部分５３と上側の透水性の部分５１とを備えている。さらに、フィルタ５０ａの長手方向の両端はＬ型アングル５７で補強されており、Ｌ型アングル５７に取っ手５９が取り付けられている。取っ手５９は着脱可能であってもよく、上下に移動するタイプであってもよい。取っ手５９が上下に移動して引っ込むタイプであるとメンテナンスの際に開口２１にフィルタ５０ａを下に凸になるように設置して掃除したゴミを受ける籠として利用できる。
【００２８】
フィルタ５０ａの寸法の一例は、長手方向のサイズが６００ｍｍ、短手方向のサイズが３００ｍｍ、高さは多孔性の部分５１が５０ｍｍ、非透水性の部分５３が４０ｍｍ程度である。この寸法は例示であり、全ての方向のサイズが変わってもよい。２つのフィルタ５０ａにより構成されるフィルタ５０の周囲の多孔性または網状の側壁部５１の面積は１２００ｃｍ２（６０ｃｍ×４×５ｃｍ）であり、フィルタ５０の上側の多孔性または網状の上壁部（上壁）５２の面積は３６００ｃｍ２（６０ｃｍ×６０ｃｍ）である。したがって、多孔性の上壁部５２の面積ＦＳ２は、多孔性の側壁部５１の面積ＦＳ１より大きく、ほぼ３倍となっている。
【００２９】
多孔性の上壁部５２の面積ＦＳ２と多孔性の側壁部５１の面積ＦＳ１との比は、１．５以上であることが望ましく、２以上であることが好ましく、２．５以上であることがさらに好ましく、３以上であることがいっそう好ましい。多孔性の側壁部５１の面積ＦＳ１を確保するためには、多孔性の上壁部５２の面積ＦＳ２と多孔性の側壁部５１の面積ＦＳ１との比は２０以下であることが望ましく、１０以下であることがさらに望ましく、５以下であることがいっそう望ましい。
【００３０】
フィルタ５０ａは、プレート２０にインサートやボルトを用いて着脱できるように固定されていてもよく、プレート２０の開口２１の周囲にフィルタ５０ａが移動しにくいように設置される凹みが設けられていてもよい。本例のフィルタ５０は、２つのパーツ５０ａに分割して着脱できるようになっているが、１つのパーツから構成されていてもよく、３つ以上のパーツに分解できるように構成されていてもよい。フィルタ５０を複数のパーツ５０ａで構成することにより、多孔性の側壁部５１の面積を増やすことができ、排水効率を向上しやすい。
【００３１】
図４に、集水部３０に排水導入口８５を介して排水８１が集水または取水された状態を示している。排水８１は、プレート２０の上を流れ、フィルタ５０に達する。その過程で、泥８３や砂利などの沈下性の異物はプレート２０の上２５に沈殿して蓄積される。また、枯葉８４などの浮遊性の異物は、フィルタ５０の側壁５４の多孔性の側壁部５１を排水８１が通過する際にフィルタ５０でせき止められ、プレート２０の上に蓄積される。したがって、プレート２０の表面（上面）２５のフィルタ５０の側壁５４の周囲にごみ溜め領域８９が形成される。
【００３２】
図５に、フィルタ５０の近傍を拡大して示している。フィルタ５０は、プレート２０の開口２１の周囲に形成された凹みあるいは段差２６にフィルタ５０の強度部材であるフラットバー５６が嵌り、プレート２０の上に固定される。浸透システム１においては、集水部３０に流入する排水８１の量が年間雨量などから予想されている量（計画値）であれば、排水８１のレベル（水位）８１ａはフィルタ５０の側壁５４の高さの範囲内で収まるように設計されている。フィルタ５０の側壁５４は下側が非透水部５３となり上側が透水部５１となっているので、下側の非透水部５３は乗り越え関として機能する。したがって、泥８３などの沈下性の異物は、排水８１が流れてくるプレート２０の上２５のフィルタ５０の周囲のごみ溜め領域８９に蓄積される。
【００３３】
枯葉８４などの浮遊性のゴミ（異物）は、フィルタ５０の側壁５４の上側の多孔性の透水性の側壁部５１がフィルタとなり、排水８１が流れてくるプレート２０の上２５のフィルタ５０の周囲のごみ溜め領域８９に蓄積される。通常の夕立や梅雨の際に集水部３０に流入する排水８１の量が増加すると条件によっては水位が上昇し、レベル（水位）８１ｂが上昇し、側壁５４を超える可能性がある。この場合、水位８１ｂが側壁５４を超えると、排水８１は、多孔性の側壁部５１に加えて、多孔性の上壁５２の側壁５４の側の一部を介して排水８１は開口２１を通って浸透部１０に流入する。多孔性の上壁５２の面積ＦＳ２は、多孔性の側壁部５１の面積ＦＳ１の３倍程度となっているので、水位８１ｂが若干上がるだけでフィルタ５０の排水８１の透過面積は大幅に増加する。したがって、集水部３０に流入する排水８１の量が計画値を若干オーバーする程度ではフィルタ５０の多孔性の側壁部５１で処理され、フィルタ５０の多孔性の上壁５２が水没することは少ない。
【００３４】
プレート２０の上２５のフィルタ５０の周囲の面積はフィルタ５０の数倍になる。このため、フィルタ５０で蓄積するよりも大量の沈下性および浮遊性のゴミを、フィルタ５０の周囲のごみ溜め領域８９に蓄積できる。したがって、フィルタ５０が通常あるいは日常的な使用によりゴミで詰まるような事態を抑制できる。フィルタ５０が枯葉８４などのゴミを除去するために使用され、枯葉８４が蓄積してフィルタ５０の開口面積が減ったとしても、それは多孔性の側壁部５１に限定され、より開口面積の大きなフィルタ５０の上壁５２がゴミにより目詰まりすることを抑制できる。
【００３５】
図６に、流入する排水８１の量が突発的に増加した状態を示している。近年、ゲリラ豪雨などと称されるように、短時間に大量の降雨があり、それが浸透システム１に流入することが考えられる。このような場合は、集水部３０における排水８１の量がフィルタ５０の多孔性の側壁部５１では処理できず水位が上昇すると、フィルタ５０が水没し、フィルタ５０の開口面積の大きな上壁５２を用いて排水８１を処理できる。フィルタ５０の上壁５２は通常の使用では枯葉８４などにより目詰まりしている可能性は小さい。このため、突発的に排水８１の流入量が増加したとしても、この浸透システム１においては、フィルタ５０の上壁５２を排水８１が通過することにより浸透部１０へ排水８１を排出できる。したがって、集水部３０が排水８１で溢れたり、集水部３０から地表または排水路９９へ排水８１が逆流するような事態を防止できる。
【００３６】
排水８１が大量に流入した際に、プレート２０の上２５のフィルタ５０の周囲のごみ溜め領域８９に蓄積した枯葉８４などの浮遊物が上昇した水位８１ｃと共に浮遊する可能性がある。枯葉８４などが水面に浮遊している間は、フィルタ５０の目詰まり要因になる可能性は小さく、大量に流入した排水８１を、フィルタ５０を介して浸透部１０に放出できる。排水８１の流入量が減少すると水位８１ｃが低下するが、その際、枯葉８４などの浮遊物はフィルタ５０の多孔性の上壁５２および側壁５１により集められ（止められ）、浸透部１０へ枯葉８４などのゴミが流入することを防止できる。
【００３７】
ごみを集めるフィルタとして下側に凸の、すなわち、上側が凹んだ網籠を用いることができる。このようなフィルタはフィルタ自身でごみを保持および蓄積するのでごみ溜めの容量が非常に小さく、通常の使用でフィルタが詰まりやすい。さらに、いったんフィルタが詰まると、その上から排水が入るだけになるので、フィルタの目詰まりが解消せず、大量の排水が集水部３０に流入すると、排水８１が溢れたり、逆流したりする要因となる。
【００３８】
フィルタが目詰まりの状態であっても排水８１が浸透部１０に流れるように、下に凸となったフィルタの上側に目詰まりしない程度の大きな穴を設けておくことができる。このようなフィルタでは、フィルタが目詰まりしたときに、ゴミはフィルタで除去できず、全て浸透部１０に流入し、浸透部１０の目詰まりの要因となる。したがって、プレート２０の開口２１を使って浸透部１０の清掃を繰り返す必要が発生する。
【００３９】
本例の浸透システム１においては、フィルタ５０でゴミを蓄積する代わりに、フィルタ５０の周囲のプレート２０の表面２５をゴミ貯め用の領域８９として利用できる。このため、大量のゴミを、フィルタ５０が目詰まりしにくい状態で除去および蓄積できる。したがって、浸透システム１のメンテナンスの頻度を減らすことができるとともに突然の豪雨などの緊急事態に対処できる。さらに、排水８１の流入量が増加したときに、フィルタ５０の目詰まりし難く、面積の大きな上壁部５２を介して排水８１を浸透部１０に排出でき、排水８１が溢れたり逆流することを抑制できる。また、大量の排水８１を浸透部１０に排出する際も、多孔性の上壁部５２を介して排出するので、枯葉８４などのゴミが浸透部１０に侵入することを防止でき、浸透部１０の性能を維持できる。
【００４０】
プレート２０および／またはフィルタ５０に蓄積されたゴミは、出入口３１から作業員がプレート２０の上に降りて外に排出することができる。また、フィルタ５０は出入口３１を介して交換することも可能である。コンクリート製のプレート２０は作業員を集水部３０の内部の空間Ｓ２に保持するために十分な強度を備えている。さらに、プレート２０を中間フロアとして利用し、プレート２０に設けられた開口２１を介して作業員が浸透部１０に入って浸透部１０の内部の空間Ｓ１をメンテナンスすることも可能である。開口２１は、浸透部１０の壁面１２に設けられる梯子（ラダー）にアクセスするために一方の壁面１２に片寄った位置に設けられていることが望ましい。また、開口２１がプレート２０の偏心した位置であって、排水口８５から遠い位置にあると、排水８１がプレート２０の上２５を流れる距離を確保できるので泥８３などの沈下するゴミをプレート２０の上２５に堆積させて排除しやすい。プレート２０はコンクリート製でなくてもよいが、コンクリート製と同等の強度を備えているものであることが望ましい。
【００４１】
なお、上記で説明したフィルタ５０は、上壁５２がほぼ平らで、プレート２０から上に凸の方形であるが、上壁５２はドーム状に上に凸に湾曲していてもよく、フィルタ５０は側壁５４が円筒あるいはリング状であってもよい。また、フィルタ５０の側壁５４は５角形以上の多角形であってもよく、プレート２０に設けられた開口２１を覆うことができる形状であればよい。
【符号の説明】
【００４２】
１    浸透システム、  １０    浸透部、  ２０    プレート、  ３０    集水部
５０    フィルタ、  ５１    多孔性の側壁部、  ５２  多孔性の上壁部
【図１】
2016044390.tif 000003
【図２】
2016044390.tif 000004
【図３】
2016044390.tif 000005
【図４】
2016044390.tif 000006
【図５】
2016044390.tif 000007
【図６】
2016044390.tif 000008